(57)【要約】【課題】一人でも簡単に施工できる水切り部材を提供する。  【解決手段】  立ち上がり壁２の上端から横方向に突出するアゴ部３の内側面に接合する水切り部材７である。水切り部材７は、プレート８と、該プレートに連続してアゴ部３の下端より下方に突出する水切り９と、プレート８の背面側に突出してアゴ部３の下面に当接する位置決めリブ１０とを備え、アゴ部３の内側面３ｂをつたって降りてきた水を水切り部材７によって下方に落水させ、また、位置決めリブ１０により、長尺の水切り部材７であっても、墨出しが不要で簡単にラインを揃えて水切り部材を固定することができる。【選択図】  図１
2007046354.tif 000002
【特許請求の範囲】
【請求項１】
立ち上がり壁の上端から横方向に突出するアゴ部の内側面に接合するプレートと、該プレートに連続してアゴ部の下端より下方に突出する水切りと、前記プレートの背面側に突出してアゴ部の下面に当接する位置決めリブとを備えたことを特徴とする水切り部材。
【請求項２】
前記プレートの上端からリブが外方向に突設されたことを特徴とする請求項１に記載の水切り部材。
【請求項３】
前記水切りが前方に湾曲して突出することを特徴とする請求項１又は２に記載の水切り部材。
【請求項４】
プレートの下端に水切りを備えた水切り部材を立ち上がり壁の上端から横方向に突出するアゴ部に取り付ける方法であって、プレートの背面に形成された位置決めリブをアゴ部の下面に合わせた後、プレートをアゴ部の内側面にビス止め固定し、プレートの上端とアゴ部の内側面との間にコーキング材を充填することを特徴とするアゴ下の水切り部材の取り付け方法。
【請求項５】
前記コーキング材の充填はプレートの上端から外方向に突出するリブとアゴ部の内側面との間で行うことを特徴とする請求項４に記載のアゴ下の水切り部材の取り付け方法。
【発明の詳細な説明】
【技術分野】
【０００１】
本発明は、パラペット等の立ち上がり壁のアゴ部に設けられる水切り部材に関するものである。
【背景技術】
【０００２】
建物の屋上の外周に形成されるパラペット等の立ち上がり壁には、屋上などの平場部分から立ち上がり壁の内面側にかけて防水シート等により防水層が形成される。立ち上がり壁が吸水性の下地であるコンクリートやモルタルの場合、防水層の末端部に水のこない納まりとすることが重要である。
【０００３】
そこで、従来の建物では、パラペット天端に内側に突出する水切りアゴを設け、さらに水切りアゴの下面に水切り溝を形成した水切り構造を採用するか、あるいは水切りアゴなしの場合にはパラペットの天端に金属製笠木を合わせて防水層の末端部に水が浸入しないように工夫されている（特許文献１、２参照）。
【特許文献１】特開２００３−２７８３３９号
【特許文献２】特開２００３−３１３９６３号
【発明の開示】
【発明が解決しようとする課題】
【０００４】
しかし、水切りアゴ部を設けた場合でも、アゴ部の下面に水切り溝がない場合には、アゴ部の下面をつたって水が防水層の末端部に浸入する可能性がある。これを解決するため、水切りアゴ部にさらに水切り部材を設け、防水層の末端部への水の浸入を防止する提案がなされているが、長尺の水切り部材をアゴ部に取り付ける際に、墨出しが必要となり、一人で施工する際の作業性に問題があった。
【０００５】
本発明は、上記に鑑み、一人でも簡単に施工することができる水切り部材の提供を目的としている。
【課題を解決するための手段】
【０００６】
上記目的を達成するために、本発明に係る水切り部材は、立ち上がり壁の上端から横方向に突出するアゴ部の内側面に接合するプレートと、該プレートに連続してアゴの下端より下方に突出する水切りと、前記プレートの背面側に突出してアゴの裏側に当接する位置決めリブとを備えたことを特徴としている。
【０００７】
上記構成によると、パラペット等の立ち上がり壁の上端から横方向に突出するアゴ部の内側面にアゴ部よりも下方に突出する水切りを有する水切り部材を設けたので、アゴ部の内側面をつたって降りてきた水は水切り部材によって下方に落水させることができる。この水切り部材は施工時にアゴ部の下面に当接する位置決めリブが設けられているので、長尺の水切り部材であっても、背面側の位置決めリブをアゴ部の下面に当接させながら取り付けることができる。したがって、墨出しが不要となり簡単にラインを揃えて水切り部材を固定することができる。
【０００８】
また、プレートにリブを外方向に突設することができる。このリブはプレートの表面側ならば、その位置が特に限定されるものではない。例えば、プレートの上端あるいはプレートの上下方向の中間位置に配置することができる。このリブは水切り部材の剛性を確保すると共にコーキング代を確保するために用いられる。特に、プレートの上端に配置した場合、コーキングラインが揃うので外観的にも優れた水切り構造となる。
【０００９】
また、水切りは下方に垂らすのみならず、前方に湾曲して突出させ、いわゆる水返しとすることもできる。
【００１０】
上記水切り部材はアゴ部に次のようにして取り付ける。すなわち、プレートの下端に水切りを備えた水切り部材を立ち上がり壁の上端から横方向に突出するアゴ部に取り付ける際、プレートの背面に形成された位置決めリブをアゴ部の裏面に合わせた後、プレートをアゴ部の内側面にビス止め固定し、プレートの上端とアゴ部の内側面との間にコーキング材を充填する。
【００１１】
上記方法によると、墨出しが不要となり簡単にラインを揃えて水切り部材を固定することができる。また、プレートの上端とアゴ部の内側面との間にコーキング材が充填されるので、この部分から防水層の末端部に水が浸入するのを防止することができる。
【００１２】
また、コーキング材の充填はプレートの上端から外方向に突出するリブとアゴ部の内側面との間で行うことができる。この方法によると、突出リブによってコーキング材が乗りやすくなり、コーキングラインを直線状に保つことができる。
【発明の効果】
【００１３】
以上のとおり、本発明によると、水切り部材は施工時にパラペット等の立ち上がり壁の天端アゴ部の下面に位置決めリブを当接させて水切り部材を取り付けるので、長尺の水切り部材であっても、背面側の位置決めリブをアゴ部の下面に当接させながら取り付けることができる。そのため、水切り部材の取り付けのために墨出しする必要がなくなり、簡単にラインを揃えて水切り部材を固定することができる。
【発明を実施するための最良の形態】
【００１４】
以下、本発明の実施形態を図面に基づいて説明する。図１は本発明の実施形態を示す建物の立ち上がり壁部分の防水構造を示す断面図である。
【００１５】
図に示すように、建物の立ち上がり壁防水構造は、建物の屋上の外周部分に垂直に立ち上がる立ち上がり壁２が設けられ、該立ち上がり壁の天端に横方向内側に突出する水切りアゴ部３が形成され、天井スラブ４および立ち上がり壁２の内側面に亘って防水シート等からなる防水層５が形成されている。防水層５の末端部はコーキング材６を充填したり、押え防水処理が施されている。
【００１６】
アゴ部３の下面には水切り溝１５が形成され、防水層５の末端部からの浸水を防止できるようになっている。
【００１７】
アゴ部３の内側面には水切り部材７が設けられる。この水切り部材７は、アゴ部３の内側面に接合する平板状のプレート８と、該プレート８に連続してアゴ部の下端より下方に突出する水切り９と、前記プレート８の背面側に突出してアゴ部３の下面に当接する位置決めリブ１０とを備えている。
【００１８】
この水切り部材７は、厚さ１ｍｍ〜２ｍｍ程度で、全長が２０００ｍｍ程度、全高さが６０ｍｍ程度で、プレート８の適宜の位置でアゴ部３の内側面にビス止め（図示略）される。水切り９はリブ１０よりも下側に２０ｍｍ程度垂下さら、また、リブ１０は５ｍｍ程度突出される。
【００１９】
水切り部材７の素材は、特に限定されるものはなく、アルミニウムやステンレス等の金属、ゴム、樹脂、樹脂とゴムの複合素材、あるいはＦＲＰ素材が例示される。特に、アルミの押出成形品を採用すれば、軽量かつ加工性がよく、錆びにくい水切り部材を提供することができる。
【００２０】
図２に水切り部材７の構成を例示する。同図（ａ）はプレート８の上端からリブ１１が外方向に突設された例を示す。このリブ１１は水切り部材７の補強機能とコーキング代を確保するために供される。リブ１１の突出長さとしては５ｍｍ程度を確保すればよい。
【００２１】
図２（ｂ）はリブ１１のない水切り部材７を示す。図２（ｃ）は水切り９が前方に湾曲して突出するもので、いわゆる水返しを構成し、防水層の末端部から水をより遠ざけるように設定される。
【００２２】
上記構成の水切り部材７のアゴ部３への取り付け方法を説明すると、まず、プレート８の下端に水切り９を備えた水切り部材７の位置決めリブ１０をアゴ部３の下面３ａに合わせた後、プレート８をアゴ部３の内側面３ｂにビス止め固定する。この際、位置決めリブ１０がアゴ部３の下面に当接するので、水切り部材７の位置決めを容易に行うことができる。
【００２３】
次に、プレート８の上端のリブ１１とアゴ部３の内側面３ｂとの間にコーキング材１２を充填する。この際、突出リブによってコーキング材１２が乗りやすくなり、コーキングラインを直線状に保つことができ、外観的に見栄えのよい水切り構造に仕上がる。
【００２４】
なお、本発明は、上記実施形態に限定されるものではなく、本発明の範囲内で修正・変更を加えることができるのは勿論である。
【図面の簡単な説明】
【００２５】
【図１】本発明の実施形態を示す建物の立ち上がり壁部分の防水構造を示す断面図
【図２】（ａ）は突出リブ付きの水切り部材の側面図、（ｂ）は突出リブなしの水切り部材の側面図、（ｃ）は水返し付きの水切り部材の側面図
【符号の説明】
【００２６】
２    立ち上がり壁
３    水切りアゴ部
４    天井スラブ
５    防水層
６    コーキング材
７    水切り部材
８    プレート
９    水切り
１０    位置決めリブ
１１    突出リブ
１２    コーキング材
【図１】
2007046354.tif 000003
【図２】
2007046354.tif 000004